(57)【要約】【課題】  住宅内の階下と階上とを連絡する家庭用エレベータを、作動性、操作性に優れたものに構成する。【解決手段】  昇降路２を、一階の空間に面する第一部位３と、一階と二階とのあいだの空間である天井部に面する第二部位４と、二階の空間に面する第三部位５とを連結して構成する一方、昇降体１７に設けられる出入り口用の内扉１８の戸先側端部に第四ガイドローラ２２を設けるとともに、第一、第二、第三部位３、４、５に、内扉１８を閉鎖姿勢としたときの第四ガイドローラ２２の移動案内をする第六、第七ガイド片８ｄ、１１ｄ、１５ｄ、８ａ、１１ａ、１５ａを形成する。【選択図】        図４
2005314016.tif 000002
【特許請求の範囲】
【請求項１】
住宅内の階下と階上とを連絡する家庭用エレベータを、階下と階上とを連通するボックス状の昇降路と、該昇降路内を上下昇降動する昇降体とで構成した家庭用エレベータにおいて、前記昇降体に設けられる出入り口用の内扉には、昇降路内での上下昇降動時に内扉を閉鎖姿勢にロックするロック手段が設けられている家庭用エレベータ。
【請求項２】
請求項１において、ロック手段は、内扉の戸先に設けられるロック用ローラと、該ローラが走行するべく昇降路に設けられたロック用ガイド片とにより構成されている家庭用エレベータ。
【請求項３】
請求項２において、ロック手段は、ロック用ローラがロック用ガイド片に形成した切り欠き部に対向することで内扉のロックを解除するように構成されている家庭用エレベータ。
【請求項４】
請求項１、２または３において、昇降体は、四隅部にガイドローラが設けられ、これらガイドローラは、昇降路に設けたガイド片を走行するように構成されている家庭用エレベータ。
【発明の詳細な説明】
【技術分野】
【０００１】
本発明は、住宅、特に既存の二階建て、三階建て等の複数階の住宅に簡単に建付けられる家庭用エレベータの技術分野に属するものである。
【背景技術】
【０００２】
近年、一般住宅に家庭用エレベータを設け、高齢者や障害のある人が階下と階上とのあいだを自由に行き来できるようにして、快適な生活環境を提供できるようにすることが提唱されている。ところで、このような家庭用エレベータは、各階を連通して設けられる昇降路と、該昇降路を上下昇降動する昇降体とを備えて構成されており、これら昇降体と昇降路とには、それぞれ内扉と外扉とが設けられており、昇降体への乗降に際しては、前記内扉と外扉とを、それぞれ開閉しなければならない。
【０００３】
そして、従来、昇降路に設けられる外扉にロック機構を設けるとともに、該ロック手段を昇降体に連繋し、昇降体が上下昇降動をする過程では外扉を閉鎖姿勢にロックし、昇降体が予め設定された停止位置に位置することに伴い、ロック手段のロックを解除して、外扉を閉鎖姿勢から開放姿勢に操作することができるようにすることが提唱されている。
【特許文献１】特開平６−８７５８８号公報
【特許文献１】特開平１１−２４０６８２号公報
【発明の開示】
【発明が解決しようとする課題】
【０００４】
ところで、前記従来のエレベータは、昇降体の上下昇降動時に外扉のロックをする構成であり、昇降体を閉鎖している内扉をロックするというような記載は一切ない。
一方、外扉に設けられたロック手段をロック解除するには、昇降体が予め設定される停止位置に位置することに基づいてなされており、特に前者のものでは、内扉に設けられた係合部材を外扉に設けた被係合部材に係合させることでロックを解除する構成となっている。このため、昇降体の上下昇降動時に、内扉自体が閉鎖姿勢にロックしておくことが、ロック手段を確実に作動させるための条件となり、内扉が中途開状態となるような場合では、内扉の上下端部が、上下昇降動時に外扉の被係合部材に当接して、正常な上下昇降動が損なわれてしまい、係合部材と被係合部材との係合がなされなくなってしまうことが想定され、このようになると、外扉のロック手段のロック解除ができなくなってしまうという問題がある。一方、内扉をロックする構成とした場合では、昇降体が停止して外扉とともに開放しようとしたときに、内扉のロックを別途解除しなければならず、操作性に劣るという別な問題が生じ、これらに本発明の解決すべき課題がある。
【課題を解決するための手段】
【０００５】
本発明は、上記の如き実情に鑑みこれらの課題を解決することを目的として創作されたものであって、請求項１の発明は、住宅内の階下と階上とを連絡する家庭用エレベータを、階下と階上とを連通するボックス状の昇降路と、該昇降路内を上下昇降動する昇降体とで構成した家庭用エレベータにおいて、前記昇降体に設けられる出入り口用の内扉には、昇降路内での上下昇降動時に内扉を閉鎖姿勢にロックするロック手段が設けられているものである。
そして、このようにすることにより、昇降体の上下昇降動時に、昇降体を閉鎖する内扉が閉鎖姿勢に維持されて、昇降体に対して内扉が位置ズレしてしまうことがない。
請求項２の発明は、請求項１において、ロック手段は、内扉の戸先に設けられるロック用ローラと、該ローラが走行するべく昇降路に設けられたロック用ガイド片とにより構成されているものであり、このようにすることにより、ロック手段の構成を簡略なものにすることができる。
請求項３の発明は、請求項２において、ロック手段は、ロック用ローラがロック用ガイド片に形成した切り欠き部に対向することで内扉のロックを解除するように構成されているものであり、このようにすることにより、内扉のロックの解除を自動的に行うことができるうえ、別途解除部材が不要となって構成の簡略化、部品点数の削減を果せる。
請求項４の発明は、請求項１、２または３において、昇降体は、四隅部にガイドローラが設けられ、これらガイドローラは、昇降路に設けたガイド片を走行するように構成されているものであり、このようにすることにより、昇降体の姿勢が保持されて、内扉の位置ズレのさらなる回避をすることができるうえ、エレベータのコンパクト化にも寄与できる。
【発明の効果】
【０００６】
請求項１の発明とすることにより、昇降体の上下昇降動時に、昇降体を閉鎖する内扉が閉鎖姿勢に維持されて、昇降体に対する内扉の位置ズレがないようにできる。
請求項２の発明とすることにより、ロック手段の構成を簡略なものにすることができる。
請求項３の発明とすることにより、内扉のロックの解除を自動的に行うことができるうえ、構成の簡略化、部品点数の削減を果せる。
請求項４の発明とすることにより、昇降体の姿勢が保持されて、内扉の位置ズレのさらなる回避ができるうえ、コンパクト化を果せる。
【発明を実施するための最良の形態】
【０００７】
つぎに、本発明の実施の形態について、図１〜１０の図面に基づいて説明する。
図面において、１は二階建住宅室内の例えば玄関ホールに設けられた家庭用のエレベータであって、該エレベータ１は、最大乗員二名のコンパクト化された構成となっている。前記エレベータ１を構成する昇降路２は、一階床部から二階天井部に至る部位が連通する上下方向に長い矩形状に形成されており、下側から順に一階の空間（階下空間）に面する第一部位３、一階と二階のあいだの天井部空間に面する第二部位４、二階の空間（階上空間）に面する第三部位５のそれぞれに分割自在に構成されている。そして、第一、第三部位３、５については、躯体（住宅）の壁面を一側面として利用し、三方を面板により覆蓋する構成となっている。
【０００８】
一階の空間に面する第一部位３は、一階床面に対して平行となる下片部３ａと、該下片部３ａの左右縁部から上方に延出する左右一対の左右側片部３ｂ、３ｃ、そして、左右側片部３ｂ、３ｃの後端縁部間を間隙を存して連結する複数の後片部３ｄとを備えて構成されている。そして、左右側片部３ｂ、３ｃの前端縁部には外扉６が設けられるが、該外扉６は、右側縁部が右側片部３ｃの前端縁部に蝶番６ａを介して支持されており、外扉６の左側縁部を戸先として前後方向に開閉するように構成されている。ここで、左右側片部３ｂ、３ｃの上下方向長さは、標準的な住宅の一階床面から一階天井面までの長さよりも短く寸法設定されており、下片部３ａを一階床面に設置固定したとき、左右側片部３ｂ、３ｃの上縁部は一階天井面と同じかそれよりも低位に位置するように寸法設定されている。
【０００９】
そして、前記一対の左右側片部３ｂ、３ｃは、それぞれガラス板体等により構成されるパネル体７と、該パネル体７の前後端縁部に連結される前後一対の縦枠材８、９とで構成されていて、化粧体としてそのまま外部に露出状に設置できるように構成されている。これら前後一対の縦枠材（以降、前枠材、後枠材）８、９は、上下方向を向く角筒状のアルミ型材で構成されている。そして、左右に位置する後縦枠材９の内側面には、内方に突出する前後一対の突片により構成される第一、第二ガイド片９ａ、９ｂが一体に形成されている。さらに、後縦枠材９の後方に位置する第二ガイド片９ｂの突出先端部には、後方に延出する突片により構成される第三ガイド片９ｃが一体形成されている。
一方、左右の前縦枠材８には、内方に突出形成された突片８ａの基端部と先端部とから後方に延出された突片により構成される第四、第五ガイド片８ｂ、８ｃとが一体形成されている。さらに、左側片部３ｂの前枠材８には、前端縁から内方に向けて突出する突片により第六ガイド片８ｄが一体形成されている。
尚、３ｅは、左右側片部パネル体７の上下に連結される上下枠材である。
【００１０】
一方、第二部位４は、第一部位左右側片部３ｂ、３ｃに連結される左右一対の左右側片部４ａ、４ｂと、左右側片部４ａ、４ｂの前端縁部を連結する前パネル体４ｃとを備えて構成されている。そして、前パネル体４ｃの上下長さ寸法は、標準的な天井高さから第一部位３の上下長さを差し引いた長さ寸法と同じかそれよりも長く、標準的な天井高さから第一部位３の上下長さを差し引いた長さ寸法に、一階天井面から二階床面までの長さ寸法、即ち一階天井部の高さ寸法を加えた長さと同じかそれよりも短い長さ寸法に設定されている。
また、第二部位左右側片部４ａ、４ｂは、それぞれパネル体１０と、該パネル体１０の前後端縁部に連結され、上下方向を向く角筒状のアルミ型材で構成された前後一対の縦枠材１１、１２とを備えて構成されており、該構成は、前記第一部位左右側片部３ｂ、３ｃと同様となっている。そして、パネル体１０の上下方向長さは前記前パネル体４ｃと同様で、標準的な天井高さから第一部位３の上下長さを差し引いた長さ寸法と同じかそれよりも長く、標準的な天井高さから第一部位３の上下長さを差し引いた長さ寸法に、一階天井部の高さ寸法を加えた長さと同じかそれよりも短い長さ寸法に設定されている。さらに、前後の縦枠材１１、１２の上下長さは、各パネル体４ｃ、１０の上下長さよりも長い寸法であり、天井部の上下長さ（高さ）以上の長さに設定されていて、縦枠材１１、１２の上端部が各パネル体４ｃ、１０の上縁部から上方に突出して設けられている。尚、前後の縦枠材１１、１２は、前記第一部位３の前後縦枠材８、９と同様のアルミ型材で構成されており、前後縦枠材８、９の突片８ａおよび第一〜第六ガイド片９ａ、９ｂ、９ｃ、８ｂ、８ｃ、８ｄに上下方向に連続（連通）する状態で、突片１１ａおよび第一〜第六ガイド片１２ａ、１２ｂ、１２ｃ、１１ｂ、１１ｃ、１１ｄがそれぞれ形成されている。
【００１１】
二階の空間に面する第三部位５は、第二部位左右側片部４ａ、４ｂに連結される左右一対の左右側片部５ａ、５ｂ、そして、左右側片部５ａ、５ｂの後端縁部間を間隙を存して連結する複数の後片部５ｃとを備えて構成されている。そして、左右側片部５ａ、５ｂの前端縁部には外扉６が設けられるが、該外扉６は、前記第一部位３に設けられる外扉６と同様の構成であって、右側縁部が蝶番６ａを介して右側片部５ｂに枢支され、左側縁部を戸先として前後方向に開閉するように構成されている。ここで、左右側片部５ａ、５ｂの上下方向長さは、標準的な住宅の二階床面から二階天井面までの長さよりも短く寸法設定されており、左右側片部５ａ、５ｂの上端部と二階天井面とのあいだに、後述する駆動ボックス１３を配設するスペースが確保される高さになるように構成されている。
【００１２】
そして、前記一対の左右側片部５ａ、５ｂは、前記第一、第二部位３、４と略同様の構成となっており、それぞれガラス板体等により構成されるパネル体１４と、該パネル体１４の前後端縁部に連結され、上下方向を向く角筒状のアルミ型材で構成された前後一対の縦枠材１５、１６とを備えて構成されている。これら前後の縦枠材１５、１６は、それぞれ前記第一、第二部位３、４を構成する各縦枠材８、９、１１、１２と同様のものとなっており、第一、第二部位縦枠材８、９、１１、１２の第一〜第六ガイド片９ａ、９ｂ、９ｃ、８ｂ、８ｃ、８ｄ、１２ａ、１２ｂ、１２ｃ、１１ｂ、１１ｃ、１１ｄに連通する状態で第一〜第六ガイド片１６ａ、１６ｂ、１６ｃ、１５ｂ、１５ｃ、１５ｄがそれぞれ形成されている。
ここで、第一、第二、第三の各部位３、４、５を構成する前後縦枠材８、９、１１、１２、１５、１６は、それぞれ各ガイド片８ｂ、８ｃ、８ｄ、９ａ、９ｂ、９ｃ、１１ｂ、１１ｃ、１１ｄ１２ａ、１２ｂ、１２ｃ、１５ｂ、１５ｃ、１５ｄ、１６ａ、１６ｂ、１６ｃが一体に形成されたものに構成されているが、各ガイド片は一体形成である必要は必ずしもなく、枠材に、別途用意した各ガイド片をビス止め等の手段により止着しておく構成としてもよい。
尚、５ｄは左右側片部５ａ、５ｂの上下に配される上下枠材である。
【００１３】
一方、１７は昇降路２内を上下移動するボックス状に形成された昇降体（エレベータケージ）であって、該昇降体１７は上下片部１７ａ、１７ｂ、そして、左右側片部１７ｃ、１７ｄ、さらには、後側片部１７ｅにより囲繞される構成となっている。これら各片部１７ａ、１７ｂ、１７ｃ、１７ｄ、１７ｅは、それぞれ昇降路２を構成する前記第一、第二、第三部位３、４、５の内側面に近接対向する寸法に設定されている。そして、後側片部１７ｅと左右側片部１７ｃ、１７ｄの後端縁部との連結部、即ち、昇降体１７の後方に位置する左右二つの隅部は、Ｒ状に折曲形成された連結枠材１７ｆにより一体的に連結されている。また、左右側片部１７ｃ、１７ｄの前端縁部には、それぞれ前枠材１７ｇが設けられており、これら前枠材１７ｇのうち、右側前枠材１７ｇに、昇降体１７の前側片を構成する内扉１８の右側端縁部が上下方向複数の蝶番１８ａを介して連結されており、内扉１８の左側縁部が前記右側縁部を基準として前後方向に揺動することで、昇降体１７の開閉をするように設定されている。
【００１４】
さて、前記内扉１８の外面（昇降路１７側面）には、上下方向中間部に位置して係合受け部１８ｂが設けられている。前記係合受け部１８ｂは、内扉１８に沿う第一板体１８ｃと平面視コ字形の第二板材１８ｄとにより構成されており、これら第一、第二板体１８ｃ、１８ｄとのあいだに左右方向に長い嵌合孔１８ｅが形成されている。尚、１８ｆは、第一板体１８ｃの上下縁部から外方に向けて傾斜状に突出するガイドである。
一方、第一、第三部位３、５に開閉自在に設けられる外扉６の内側面には、上下方向中間部に位置してそれぞれ連結ピン６ｂが設けられており、これら連結ピン６ｂは、前記内扉１８の嵌合孔１８ｅに抜き差し自在に構成されている。これら各連結ピン６ｂは、第一、第三部位３、５の外扉６の外側面に固定されたブラケット６ｃに、下端部あるいは上端部がそれぞれ一体的に設けられており、第一部位３の外扉６に設けられる連結ピン６ｂは、先鋭状の先端部が上方を向き、第三部位５の外扉６に設けられる連結ピン６ｂは、先鋭状の先端部が下方を向いてそれぞれ設けられている。
そして、これら連結ピン６ｂは、昇降体１７が階上から下降し、一階の停止位置に達する直前に、第一部位３の連結ピン６ｂ先端部が、内扉１８の係合受け部１８ｂの嵌合孔１８ｅに下側から遊嵌状に嵌合するように設定されている。また、階下から上昇するときには、二階の停止位置に達する直前に、第三部位５の連結ピン６ｂ先端部が内扉１８の係合受け部１８ｂの嵌合孔１８ｅに上側から遊嵌状に嵌合するように設定されている。そして、このように、昇降体１７の一、二階の停止位置において、昇降体１７側の嵌合孔１８ｅに連結ピン６ｂが嵌合することにより、内扉１８と外扉６とが連結された係合状態となり、内扉１８あるいは外扉６を把持して開閉揺動させた場合に、両扉１８、６は、連結ピン６ｂが嵌合孔１８ｅ内を左右方向に移動することにより相対変位しつつ、一体開閉揺動するように設定されている。
【００１５】
さらに、昇降体１７の後方に位置する左右の隅部に配された連結枠材１７ｆには、上下方向複数箇所に位置して、左右方向外方に突出する支軸１９ａを有し、各部位３、４、５の第一、第二ガイド片９ａ、９ｂ、１２ａ、１２ｂ、１６ａ、１６ｂに案内される第一ガイドローラ１９が回転自在に設けられている。さらに、連結枠材１７ｆには、上下方向複数箇所に位置して、前後方向（後方）に突出する支軸２０ａを有し、第三ガイド片９ｃ、１２ｃ、１６ｃに案内される第二ガイドローラ２０が回転自在に設けられている。また、左右の前枠材１７ｇの前端面には、上下方向複数箇所に位置して、前方に突出する支軸２１ａを有し、第四、第五ガイド片８ｂ、８ｃ、１１ｂ、１１ｃ、１５ｂ、１５ｃに案内される第三ガイドローラ２１が回転自在に設けられている。これによって、昇降体１７を平面視したとき、昇降体１７の四隅部位（各コーナー部）に、第一〜第三ガイドローラ１９、２０、２１がそれぞれ配されるように構成されている。そして、第一〜第三ガイドローラ１９、２０、２１が第一〜第五ガイド片９ａ、９ｂ、９ｃ、８ｂ、８ｃ、１２ａ、１２ｂ、１２ｃ、１１ｂ、１１ｃ、１６ａ、１６ｂ、１６ｃ、１５ｂ、１５ｃによる移動案内を受けることにより、昇降体１７は前後方向の動きを規制され（振れ止めされ）、および、左右方向の動きを規制され（振れ止めされ）た状態で昇降路２を上下昇降動するように設定されている。
因みに、本実施の形態では、第三ガイドローラ２１を、第四、第五ガイド片８ｂ、８ｃ、１１ｂ、１１ｃ、１５ｂ、１５ｃによりガイドしているが、昇降体１７の左右に設けられる一対の第三ガイドローラ２１の左右の動きを規制するためには、第四ガイド片８ｂ、１１ｂ、１５ｂがあれば実施でき、第五ガイド片８ｃ、１１ｃ、１５ｃを必ずしも設ける必要はない。
【００１６】
また、昇降体２の内扉１８の戸先端面には、上下方向複数箇所に位置して、左側に突出する支軸２２ａを有する第四ガイドローラ（本発明のロック用ローラに相当する）２２が回転自在に設けられている。該第四ガイドローラ２２は、昇降路２に形成された前記第六ガイド片８ｄ、１１ｄ、１５ｄと、突片８ａ、１１ａ、１５ａの先端部により構成される第七ガイド片８ａ、１１ａ、１５ａとのあいだに嵌入して移動案内されるように設定されており、これら第六、第七ガイド片８ｄ、１１ｄ、１５ｄ、８ａ、１１ａ、１５ａが本発明のロック用ガイド片に相当している。そして、第四ガイドローラ２２が第六、第七ガイド片８ｄ、１１ｄ、１５ｄ、８ａ、１１ａ、１５ａの移動案内を受けることにより、内扉１８の前後方向（開閉方向）の揺動が規制され、これによって、内扉１８が不用意に開放したり閉鎖したりするようなことをなくし、内扉１８が予め設定される閉鎖姿勢に維持された状態で昇降体１７の上下昇降動が行えるように設定されている。
さらに、第一、第三部位３、５の第六ガイド片８ｄ、１５ｄには、昇降体１７が一階または二階の所定停止位置において停止したとき、第四ガイドローラ２２に対向する部位に位置して切り欠き部Ｃが形成されており、内扉１８が前方に揺動するのを許容するように設定されている。これによって、昇降体１７の内扉１８は、昇降体１７の上下昇降動に際しては、前述したように、第六、第七ガイド片８ｄ、８ａ、１１ａ、１１ｄ、１５ａ、１５ｄの移動案内を受けることにより開放揺動が規制され、昇降体１７が一階または二階の所定の停止位置に達することにより、前方への開放揺動が許容されるように構成され、該構成が、昇降体１７の上下昇降同時に内扉１８を閉鎖姿勢に保持するためのロック手段に相当している。
【００１７】
尚、家庭用エレベータ１は、一階と二階とのあいだの天井部に開口を形成し、一階のエレベータ据え付け部（設置部）に、昇降路２を構成する第一部位３の下片部３ａを躯体に固定し、該下片部３ａおよび躯体床面に、左右側片部３ｂ、３ｃを固定し、左右側片部３ｂ、３ｃを連結する状態で後片部３ｄを固定し、かつ、後片部３ｄを躯体に固定することにより第一部位３の躯体への組み込みがなされている。続いて、天井部に開設された開口から、第二部位４を組み込み、最後に第三部位５を二階から組み込むが、第一部位３と第二部位４との連結、第二部位４と第三部位５との連結は連結片２３を介してなされている。
つまり、第二部位４の前後に配設される縦枠材１１、１２は、前述したように角筒状に形成されており、都合四箇所の角筒孔１１ｅ、１２ｄの上下に、予め連結片２３の下端部、上端部をそれぞれ嵌入させて固定し、縦枠材１１、１２の上下端縁部から連結片２３がそれぞれ突出する状態とする。そして、連結片２３が固定された第二部位４を、天井部側から組み込むが、このとき、下方に突出する連結片２３を、第一部位３の前後に配設されている縦枠材８、９の各筒孔８ｅ、９ｄに嵌入させる状態で落とし込んで組み込み、該嵌入した連結片２３の下端部を第一部位縦枠材８、９に固定することにより、第二部位４と第一部位３との連結固定がなされるように構成されている。
尚、本実施の形態では、連結片２３は第二部位４側に予め固定して第一、第三部位３、５との連結を行うように構成されているが、連結片２３を予め固定するのは、第一、第二、第三部位３、４、５の何れであってもよい。
【００１８】
前記第二部位４を組み込んだ状態で、昇降体１７を昇降路２内に内装し、そして、第三部位５の組み込みがなされるが、第三部位５は、左右側片部５ａ、５ｂの前後の縦枠材１５、１６の角筒孔１５ｅ、１６ｄの下端部に、第二部位縦枠材１１、１２の上端縁から上方に突出する連結片２３の上端部を嵌入させるようにして組み込み、連結片２３の上端部を第三部位縦枠材１５、１６に固定することにより、第二部位４と第三部位５との連結固定がなされるように構成されている。これに続き、第三部位後片部５ｃを連結し、第一、第三部位３、５に外扉６を組み込み、さらに、第三部位５の上方に駆動ボックス１３を組み込み、駆動ボックス１３から延出するベルト体１３ａを昇降体１７の上片１７ａに連結することにより、エレベータ１の設置がなされるように設定されている。
【００１９】
因みに、各住宅ごとに一階床面から二階床面間での高さ（長さ）寸法が異なるが、本実施の形態では、各住宅における二階床面までの昇降路２の長さの調整を、第二部位４の長さを調整することで行うようにしており、二階から組み込まれる第三部位５と二階床面との位置合せが確実になされるように構成されている。これによって、第二部位４と第三部位５との連結部が二階床面から露出することがなく、意匠性の高いエレベータ１とすることができるようにしている。また、前記第二、第三部位４、５の連結部が二階床面より下がりすぎることをなくし、第三部位５に設けられる内扉１８の開閉が損なわれることがないようにしている。
そして、第二部位４の長さ調整は、前パネル体４ｃ、パネル体１０の各上縁部よりも上方に突出する前後縦枠材１１、１２部位を適宜切断することで調整するように構成されており、これによって、昇降路２の長さ調整が容易で、現場でも簡単に対応できるように構成されている。
尚、駆動ボックス１３は、昇降体１７に連結されるベルト体１３ａが巻装される巻装装置、該巻装装置の巻き取り、巻き出し作動をせしめて、昇降体１７を上下昇降動させるための駆動装置等、必要な部材が収容されており、第三部位５と二階天井面とのあいだに配設されるように構成されている。そして、駆動ボックス１３と第三部位５との連結は、第三部位５の前後縦枠材１５、１６の上端部に嵌入した連結片２３を用いて行うことで、コンパクト化が果せるように構成されている。
【００２０】
そして、昇降路２を組み込み、該昇降路２に昇降体１７を内装した状態において、昇降路２を構成する前後縦枠材８、９、１１、１２、１５、１６に予め一体形成された第一〜第六ガイド片９ａ、９ｂ、９ｃ、１２ａ、１２ｂ、１２ｃ、１６ａ、１６ｂ、１６ｃ、８ｂ、８ｃ、８ｄ、１１ｂ、１１ｃ、１１ｄ、１５ｂ、１５ｃ、１５ｄは、上下方向に位置合せされた状態となっており、第一〜第三部位３、４、５にわたる長尺状のガイド面を形成するように設定されている。そし２て、昇降体１７は、四隅部に設けられた第一〜第三ガイドローラ１９、２０、２１の外周面が、前記第一〜第五ガイド片９ａ、１２ａ、１６ａ、９ｂ、１２ｂ、１６ｂ、９ｃ、１２ｃ、１６ｃ、８ｂ、１１ｂ、１５ｂ、８ｃ、１１ｃ、１５ｃのガイド面にそれぞれ当接する状態で組み込まれ、第四ガイドローラ２２が第六、第七ガイド片８ｄ、１１ｄ、１５ｄ、８ａ、１１ａ、１５ａのガイド面にそれぞれ当接する状態で組み込まれる。これによって、昇降体１７は、前述したように、第一〜第三ガイドローラ１９、２０、２１による前後方向の振れ止め、左右方向の振れ止め作用を受けるとともに、第四ガイドローラ２２による内扉１８の開放規制作用を受ける状態で昇降路２を上下昇降動するように設定されている。
【００２１】
さらに、前記第一〜第六ガイド片９ａ、１２ａ、１６ａ、９ｂ、１２ｂ、１６ｂ、９ｃ、１２ｃ、１６ｃ、８ｂ、１１ｂ、１５ｂ、８ｃ、１１ｃ、１５ｃ、８ｄ、１１ｄ、１５ｄのガイド面には、それぞれ樹脂製ゴム材で構成された緩衝材２４が長手方向一体にわたって設けられている。ここで、緩衝材２４は、昇降路２の上下方向全長にわたる長尺体である必要は必ずしもなく、組み込み易さの観点から、長手方向に分割したものを設けることができる。この場合に、分割された緩衝材２４の連結部（つなぎ目）と、各ガイド面同士の連結部（つなぎ目）とは位置ズレするようにして設けられている。これによって、各ガイド片９ａと１２ａ、１２ａと１６ａ、９ｂと１２ｂ、１２ｂと１６ｂ、９ｃと１２ｃ、１２ｃと１６ｃ、８ｂと１１ｂ、１１ｃと１５ｂ、８ｃと１１ｃ、１１ｃと１５ｃ、８ｄと１１ｄ、１１ｄと１５ｄ同士の連結部において、多少の位置ズレに基づいてガイド面が平滑でなくなったとしても、緩衝材２４によって連結部が覆われることにより平滑面となり、第一〜第四ガイドローラ１９、２０、２１、２２の移動案内を静粛、かつ、円滑に行えるように構成されている。因みに、緩衝材２４同士の連結部は、緩衝材２４が金属製でないこともあって、多少の位置ズレによる平滑性の低下では、大きな異音を発生することはなく、静粛性を損なわない程度のものとすることができる。さらに、緩衝材２４を長手方向に分割して設けた場合、緩衝材２４が摩耗したときに、緩衝材２４全長を交換するのではなく摩耗箇所に応じて部分的に交換することができ、メンテナンス性の向上を図れるようにしている。
【００２２】
叙述の如く構成された本形態において、エレベータ１は、図示しない操作具の操作に基づいてベルト体１３ａの巻き取り、巻き出しがなされ、これによって、昇降体１７が昇降路２内を上下昇降動して一階と二階との連絡をすることになるが、このとき、昇降路２は、第一、第二、第三部位４、５、６に分割した状態で、一階、あるいは、二階から組み込むことができ、二階天井部から屋根に至るような大掛かりな屋根工事を必要とすることがない。この結果、既存の住宅に設置するのを、容易、かつ、安価に、しかも、短時間で実現することができる。
しかもこのものにおいて、昇降体１７を開閉する内扉１８は、戸先側の端部にロック手段を構成するロック用ガイドローラとして第四ガイドローラ２２が設けられる一方、昇降路２には、第六、第七ガイド片８ｄ、１１ｄ、１５ｄ、８ａ、１１ａ、１５ａが形成され、一階、二階の所定の停止位置では第六ガイド片８ｄ、１５ｄに形成された切り欠き部Ｃを介して前方揺動が許容されるが、昇降体１７の上下昇降動時では、第四ガイドローラ２２が第六、第七ガイド片８ｄ、１１ｄ、１５ｄ、８ａ、１１ａ、１５ａによる移動案内を受けて開閉揺動の規制がなされて閉鎖姿勢に維持される。この結果、昇降体１７の上下昇降動に際して内扉１８の姿勢に位置ズレを生じるような不具合がなく、もって、内扉１８（昇降体１７）側の係合受け部１８ｂと、外扉６（昇降路２）側の連結ピン６ｂとの係脱（抜き差し）作動が確実になされて、内扉１８と外扉６との一体的な開閉作動を確実に行うことができる。
【００２３】
そして、このものにおいて、内扉１８をロックするロック手段は、ロック用ガイドローラ２２と前後縦枠材８、９、１１、１２、１５、１６に形成した第六、第七ガイド片８ｄ、１１ｄ、１５ｄ、８ａ、１１ａ、１５ａとにより構成したので、第六、第七ガイド片８ｄ、１１ｄ、１５ｄ、８ａ、１１ａ、１５ａについては、昇降体１７を移動案内するために必要な第一〜第五ガイド片９ａ、９ｂ、９ｃ、８ｂ、８ｃ、１２ａ、１２ｂ、１２ｃ、１１ｂ、１１ｃ、１６ａ、１６ｂ、１６ｃ、１５ｂ、１５ｃとともに一体に形成することができて、構成の簡略化を果せる。
【００２４】
しかもこのものでは、内扉１８の開閉揺動を解除するためには、第一、第三部位３、５の第六ガイド片８７ｄ、１５ｄに切り欠き部Ｃを形成するだけの構成であるので、ロック手段解除用の部材を別途設ける必要がなく、構成の簡略化、部品点数の削減を果せる。しかも、内扉１８のロック解除をする場合に、昇降体１７が所定の位置に達することで自動的に解除されるので、いちいち解除操作する必要がなく、操作性に優れる。
【００２５】
しかも、このものでは、昇降体１７の四隅部に第一〜第三ガイドローラ１９、２０、２１が設けられ、昇降路２側に設けられた第一〜五ガイド片９ａ、１２ａ、１６ａ、９ｂ、１２ｂ、１６ｂ、９ｃ、１２ｃ、１６ｃ、８ｂ、１１ｂ、１５ｂ、８ｃ、１１ｃ、１５ｃの移動案内を受けて上下昇降動する構成であるため、昇降体１７の上下昇降動における支持が四隅部に分散されて、昇降体２自体の剛性を格別高める必要がなく、しかも、各ガイド片９ａ、１２ａ、１６ａ、９ｂ、１２ｂ、１６ｂ、９ｃ、１２ｃ、１６ｃ、８ｂ、１１ｂ、１５ｂ、８ｃ、１１ｃ、１５ｃ（案内体）を格別頑丈なものにする必要がなくなり、エレベータ１のコンパクト化を図ることができる。しかも、昇降体１７は、四隅部の支持により昇降路２に対する昇降体１７の姿勢を矯正し易く、振動の少ない安定、かつ、円滑な上下昇降動を実現できるうえ、内扉１８の位置ズレのさらなる回避がなされて、外扉６との係合作動を一層確実に行うことができる。
【００２６】
また、このものでは、昇降体１７の四隅部のうち後方の二箇所については、それぞれ支軸１９ａ、２０ａの突出方向が異なる第一、第二ガイドローラ１９、２０が設けられているので、昇降体１７の前後、左右の各方向への動きを規制した状態で上下昇降動をすることになって、さらに安定性、円滑性を向上させることができる。
【００２７】
尚、本発明は前記実施の形態に限定されないことは勿論であって、昇降体に設けられる左右方向を向く支軸を有した第一ガイドローラと、前後方向を向く支軸を有した第二ガイドローラとは、昇降体の四隅のうちの何れか一箇所に設けられることにより、昇降体を位置決め状に移動案内することができ、例えば、図１１（Ａ）、（Ｂ）、（Ｃ）に示すように構成することができる。
図１１（Ａ）に示す第二の実施の形態の昇降体２５は、全ての四隅部に第一、第二ガイドローラ２６、２７が設けられている。この場合に、各ガイドローラ２６、２７の移動案内をする昇降路側に設けられるガイド片は、左右対称状になるよう各ローラの左右方向、あるいは、前後方向の一方の側部のみをガイドすれば、昇降体２５の左右方向、前後方向の振れ止めを行うことが可能となる。
図１１（Ｂ）に示す第三の実施の形態の昇降体２８は、四隅部のうち、右側部の二箇所の隅部に、第一、第二ガイドローラ２９、３０が設けられている。この場合、各ガイドローラ２９、３０の内、一対だけ設けられる前後方向の支軸を有した第二ガイドローラ３０については、各ローラの左右両側部のガイドをする左右一対のガイド片を設けることにより、昇降体２８の左右方向の振れ止めが可能となる。
さらに、図１１（Ｃ）に示す第四の実施の形態の昇降体３１は、四隅部のうち、左側部後方に位置する隅部にのみ第一、第二ガイドローラ３２、３３が設けられる構成となっている。この場合、左側後方の隅部に設けられる第一、第二ガイドローラ３２、３３の左右両側部のガイドをするガイド片を設けることにより、昇降体３１の左右方向および前後方向の振れ止めが可能となり、このように、何れの場合であっても、昇降体２５、２８、３１が上下昇降動する場合に、左右方向お代に前後方向の振れ止めが成されて、安定、かつ、円滑な作動とすることができる。
【図面の簡単な説明】
【００２８】
【図１】図１（Ａ）、（Ｂ）はそれぞれ家庭用エレベータの正面図、側面図である。
【図２】家庭用エレベータの概略斜視図である。
【図３】昇降路の分解斜視図である。
【図４】家庭用エレベータの平面断面図である。
【図５】家庭用エレベータの要部拡大平面断面図である。
【図６】家庭用エレベータの要部拡大平面断面図である。
【図７】図７（Ａ）、（Ｂ）は、それぞれ家庭用エレベータの要部斜視図、要部拡大平面断面図である。
【図８】家庭用エレベータの内外扉が閉鎖した状態の要部平面断面図である。
【図９】家庭用エレベータの内外扉が開放した状態の要部平面断面図である。
【図１０】図８のＡ−Ａ断面図である。
【図１１】図１１（Ａ）、（Ｂ）、（Ｃ）はそれぞれ第二、第三、第四の実施の形態におけるパターン化された昇降体の平面図である。
【符号の説明】
【００２９】
１    エレベータ
２    昇降路
３    第一部位
３ｂ    左側片部
４    第二部位
４ａ    左側片部
５    第三部位
５ｂ    右側片部
６    外扉
７    パネル体
８    前縦枠材
８ａ    突片
８ｂ    第四ガイド片
９    後縦枠材
９ａ    第一ガイド片
１１    前縦枠材
１２    後縦枠材
１２ｂ    第二ガイド片
１３    駆動ボックス
１５    前縦枠材
１５ｃ    第五ガイド片
１６ｃ    第三ガイド片
１７    昇降体
１８    内扉
１９    第一ガイドローラ
２３    連結片
２４    緩衝材
【図１】
2005314016.tif 000003
【図２】
2005314016.tif 000004
【図３】
2005314016.tif 000005
【図４】
2005314016.tif 000006
【図５】
2005314016.tif 000007
【図６】
2005314016.tif 000008
【図７】
2005314016.tif 000009
【図８】
2005314016.tif 000010
【図９】
2005314016.tif 000011
【図１０】
2005314016.tif 000012
【図１１】
2005314016.tif 000013